【手続補正書】
【提出日】平成24年4月12日(2012.4.12)
【手続補正１】
【補正対象書類名】特許請求の範囲
【補正対象項目名】全文
【補正方法】変更
【補正の内容】
【特許請求の範囲】
【請求項１】
ユーザの荷重を検出する荷重センサを備えた入力装置からの信号を処理する情報処理装置のコンピュータにおいて実行される情報処理プログラムであって、前記コンピュータを、
前記入力装置からの信号に基づいて、前記ユーザの荷重又は当該荷重の時間変化に関する荷重情報を取得する荷重情報取得手段、
前記入力装置からの信号に基づいて、前記ユーザの重心位置又は当該重心位置の移動方向に関する重心情報を取得する重心情報取得手段、
前記荷重情報が第１の条件を満たしたか否かを判定する荷重判定手段、および、
前記荷重判定手段による判定結果が肯定であるときの前記重心情報に基づいて、前記ユーザの所定の動作を判定する動作判定手段、として機能させる情報処理プログラム。
【請求項２】
前記荷重判定手段は、前記荷重情報に基づいて、前記ユーザの荷重が増加しているか否かを判定する、請求項１に記載の情報処理プログラム。
【請求項３】
前記荷重判定手段は、前記荷重の増加率が所定の閾値以上であるか否かを判定する、請求項２に記載の情報処理プログラム。
【請求項４】
前記重心情報取得手段は、前記入力装置からの信号に基づいて、前記重心位置の移動方向に関する重心情報を取得し、
前記動作判定手段は、前記荷重判定手段による判定結果が肯定であるときに前記重心情報取得手段によって取得された前記重心位置の移動方向に関する重心情報に基づいて、前記ユーザの所定の動作を判定する、請求項１ないし３のいずれか一項に記載の情報処理プログラム。
【請求項５】
前記重心情報取得手段は、前記入力装置からの信号に基づいて、前記重心位置に関する重心情報を取得し、
前記動作判定手段は、前記荷重判定手段による判定結果が否定であるときの前記重心位置の所定軸方向における座標値の絶対値が所定の閾値以上である場合、前記ユーザが所定の動作を行ったと判定する、請求項１ないし３のいずれか一項に記載の情報処理プログラム。
【請求項６】
前記重心情報取得手段は、前記入力装置からの信号に基づいて、前記重心位置及び前記重心位置の移動方向に関する重心情報を取得し、
前記重心位置の第１軸方向の座標値の絶対値が第１の閾値以上であるか否かを判定する第１閾値判定手段、として前記コンピュータをさらに機能させ、
前記動作判定手段は、前記荷重判定手段による判定結果が肯定であり、かつ、前記第１閾値判定手段による判定結果が肯定であるときの前記重心位置の移動方向に基づいて、前記ユーザの前記所定の動作を判定する、請求項１ないし３のいずれか一項に記載の情報処理プログラム。
【請求項７】
前記重心位置の前記第１軸方向の座標値の絶対値が前記第１の閾値より大きい第２の閾値以上であるか否かを判定する第２閾値判定手段、として前記コンピュータをさらに機能させ、
前記動作判定手段は、前記荷重判定手段による判定結果が否定であり、かつ、前記第２閾値判定手段による判定結果が肯定であるときの前記重心位置に基づいて、前記ユーザの前記所定の動作を判定する、請求項６に記載の情報処理プログラム。
【請求項８】
前記重心情報取得手段は、前記入力装置からの信号に基づいて、前記重心位置に関する重心情報を取得し、
前記重心位置が、前記入力装置に設けられた前記ユーザによって荷重が加えられる入力面の所定の位置に設定された所定の領域に存在するか否かを判定する領域判定手段、として前記コンピュータをさらに機能させ、
前記動作判定手段は、前記荷重判定手段による判定結果が肯定であり、かつ、その時点での前記領域判定手段による判定結果が否定である場合、前記ユーザが前記所定の動作を行ったと判定する、請求項１ないし３のいずれか一項に記載の情報処理プログラム。
【請求項９】
前記重心情報取得手段は、前記入力装置からの信号に基づいて、前記重心位置及び前記重心位置の移動方向に関する重心情報を取得し、
前記重心位置の第１軸方向の座標値の絶対値が所定の閾値以上であるか否かを判定する閾値判定手段、として前記コンピュータをさらに機能させ、
前記動作判定手段は、
前記閾値判定手段による判定結果が肯定である場合、当該肯定であるときの前記重心位置に基づいて、前記ユーザの所定の動作を判定し、
前記閾値判定手段による判定結果が否定であり、かつ、前記荷重判定手段による判定結果が肯定であるときの前記重心位置の移動方向に基づいて、前記ユーザの所定の動作を判定する、請求項１ないし３のいずれか一項に記載の情報処理プログラム。
【請求項１０】
前記重心情報取得手段が取得した重心情報に基づいて、前記ユーザの重心位置の移動速度を算出する移動速度算出手段、
前記移動速度算出手段によって算出された前記重心位置の移動速度が第２の条件を満たすか否かを判定する移動速度判定手段、として前記コンピュータをさらに機能させ、
前記動作判定手段は、前記荷重判定手段による判定結果が肯定であり、かつ、その時の前記移動速度判定手段による判定結果が肯定である場合に、前記重心情報に基づいて、前記ユーザの所定の動作を判定する、請求項１ないし３のいずれか一項に記載の情報処理プログラム。
【請求項１１】
前記入力装置に設けられた前記ユーザによって荷重が加えられる入力面には、複数の第１領域、及び、当該第１領域の境界に複数の第２領域が予め設定され、
前記動作判定手段は、前記荷重判定手段による判定結果が否定である場合の前記重心情報取得手段が取得した前記重心位置が前記第１領域に存在するとき、前記ユーザが前記所定の動作を行ったと判定する、請求項１ないし３のいずれか一項に記載の情報処理プログラム。
【請求項１２】
前記動作判定手段は、前記ユーザが所定の方向に所定の動作を行ったか否かを判定する、請求項１ないし１１のいずれか一項に記載の情報処理プログラム。
【請求項１３】
前記動作判定手段は、前記ユーザが所定の方向に所定の動作を行ったか否かを繰り返し判定し、
前記動作判定手段によって前記ユーザが所定の方向に所定の動作を行ったと判定された場合、前記ユーザが所定の動作を行った方向を示す判定結果を記憶する判定結果記憶手段、として前記コンピュータをさらに機能させ、
前記動作判定手段は、前記重心情報に基づくユーザが所定の動作を行った方向が、前記判定結果記憶手段に記憶された直前の判定結果によって示される方向と異なる場合のみ、前記ユーザが所定の動作を行ったと判定する、請求項１ないし１２のいずれか一項に記載の情報処理プログラム。
【請求項１４】
前記入力装置に設けられた前記ユーザによって荷重が加えられる入力面には、前記ユーザの動作方向を示す複数の領域が予め設定されており、
前記動作判定手段は、前記重心位置が存在する前記入力面上の前記領域が示す方向に、前記ユーザが所定の動作を行ったと判定する、請求項１３に記載の情報処理プログラム。
【請求項１５】
前記動作判定手段は、前記荷重判定手段による判定結果が否定である場合の前記重心位置が存在する前記入力面上の前記領域が示す方向に、前記ユーザが所定の動作を行ったと判定する、請求項１４に記載の情報処理プログラム。
【請求項１６】
前記動作判定手段による判定結果が肯定の場合、前記ユーザが所定の動作を行う様子を表示装置に表示させる表示制御手段、として前記コンピュータをさらに機能させる、請求項１ないし１５のいずれか一項に記載の情報処理プログラム。
【請求項１７】
ユーザの荷重を検出する荷重センサを備えた入力装置からの信号を処理する情報処理装置であって、
前記入力装置からの信号に基づいて、前記ユーザの荷重又は当該荷重の時間変化に関する荷重情報を取得する荷重情報取得手段と、
前記入力装置からの信号に基づいて、前記ユーザの重心位置又は当該重心位置の移動方向に関する重心情報を取得する重心情報取得手段と、
前記荷重情報が第１の条件を満たしたか否かを判定する荷重判定手段と、
前記荷重判定手段による判定結果が肯定であるときの前記重心情報に基づいて、前記ユーザの所定の動作を判定する動作判定手段と、を備える情報処理装置。
【請求項１８】
ユーザの荷重を検出する荷重センサを備えた入力装置からの信号を処理する情報処理システムであって、
前記入力装置からの信号に基づいて、前記ユーザの荷重又は当該荷重の時間変化に関する荷重情報を取得する荷重情報取得手段と、
前記入力装置からの信号に基づいて、前記ユーザの重心位置又は当該重心位置の移動方向に関する重心情報を取得する重心情報取得手段と、
前記荷重情報が第１の条件を満たしたか否かを判定する荷重判定手段と、
前記荷重判定手段による判定結果が肯定であるときの前記重心情報に基づいて、前記ユーザの所定の動作を判定する動作判定手段と、を備える情報処理システム。
【請求項１９】
ユーザの荷重を検出する荷重センサを備えた入力装置からの信号を処理する情報処理方法であって、
前記入力装置からの信号に基づいて、前記ユーザの荷重又は当該荷重の時間変化に関する荷重情報を取得する荷重情報取得ステップと、
前記入力装置からの信号に基づいて、前記ユーザの重心位置又は当該重心位置の移動方向に関する重心情報を取得する重心情報取得ステップと、
前記荷重情報が第１の条件を満たしたか否かを判定する荷重判定ステップと、
前記荷重判定ステップにおける判定結果が肯定であるときの前記重心情報に基づいて、前記ユーザの所定の動作を判定する動作判定ステップと、を含む情報処理方法。